(57)【要約】      （修正有）【課題】沈澱池の水面より上位において伝導条材の弛み度が分かり、弛み取りの作業が迅速に行え、弛み取りが長期に亘って行える汚泥掻寄装置の提供。【解決手段】矩形沈澱池１内の底壁５上には、軌道７に沿って進退可能な車輪移動式機体１０設け、機体には汚泥ピット方向への前進時に掻寄状態で、後退時には持上げ状態となるスクレーパ２３を設け、機体駆動は伝導条材６８による往復牽引手段でなされ、往復牽引手段は、池上架台上の減速機付き駆動源と、駆動源の駆動軸に備えたロードシーブ６５と、水中のヘッド側シーブ６６とテール側シーブ６７とを経由して機体連結され、伝導条材にテンショナー７０を装備した汚泥掻寄装置において、池上には弛み度インジケーター８７を設け、インジケーターは、テンショナーの動きに連動して昇降運動をする昇降連動材８０と、昇降連動材の動きに応じて池上に弛み度を表示可能な表示手段とを備える汚泥掻寄装置。【選択図】図３
2019005737.tif 000002
【特許請求の範囲】
【請求項１】
矩形の短辺に対応する前後の端壁と矩形の長辺に対応する左右の側壁および汚泥掻寄方向である前側の端壁側に汚泥ピットを備える底壁とを備えてなる矩形沈澱池内の底壁上には、前記長辺に平行な軌道に沿って汚泥ピットの方向とその逆方向に進退可能な車輪移動式の機体が設けられ、その機体は、汚泥ピットの向きに前進する際に縦向きの掻寄状態となりその逆方向に後退する際に持ち上げ状態となるように上下姿勢切換可能とされた汚泥スクレーパが設けられているとともに、同機体は進退駆動がワイヤロープあるいはリンクチェーンなどの伝導条材による往復牽引手段でなされ、同往復牽引手段は、池上に設置の架台上にジャッキアップ機構を介して昇降調節可能に設置された減速機付き駆動源と、駆動源の駆動軸に備えたロードシーブと、水中の前記ロードシーブの下方に対応位置して配備された一対のヘッド側シーブと、前記端壁の下方に相当する位置に設けられたテール側シーブと、前記伝導条材とを備え、伝導条材は、ロードシーブに掛け回されたその一方側がヘッド側シーブの一方を経由して機体側に前方から連結されるとともにロードシーブに掛け回された他方側がヘッド側シーブの他方とテール側シーブとを経由して機体側に後方から連結され、伝導条材の前記他方側には、テンションローラー付きテンションアームを備えたテンショナーが装備されてなる汚泥掻寄装置において、前記池上には、弛み度インジケーターが設けられ、同インジケーターは、テンショナーの動きに連動して昇降運動をする昇降連動材と、昇降連動材の動きに応じて池上において弛み度を表示可能な表示手段とを備えていることを特徴とする汚泥掻寄装置。
【請求項２】
請求項１に記載のものにおいて、昇降連動材は、池上に対応位置する上端部に上下複数の異なる表示部分をもち、池上に設定された固定的な相手基準部材に対する前記表示部分の高さ位置関係をもって弛み度が表示され得るようになっている汚泥掻寄装置。
【請求項３】
請求項１に記載のものにおいて、表示手段は、昇降連動材の池上に対応位置する上端部の特定部位に対して反応する近接センサー等のセンサーと、このセンサーからの反応を受けて一定の弛み度や弛み取り状態を光でもって表示する発光手段とを備えている汚泥掻寄装置。
【発明の詳細な説明】
【技術分野】
【０００１】  この発明は、汚泥掻寄装置に関する。
【背景技術】
【０００２】  矩形沈澱池は、矩形の短辺を前後の端壁とし長辺を幅方向に対向する左右の側壁とするとともに底壁を備えこの底壁の汚泥掻寄方向である前側の端壁側に汚泥ピットを備えて立体構造としたものでなる。沈澱池の汚泥ピットの上方に対応する前側の端壁が上流側とされてその上側には沈澱池外から導かれてきた汚水が導入される流入渠が設けられるとともに同流入渠の池内への出口に横断状に設けた多孔状の整流壁（板）の整流孔を通じて汚水を整流化しながらごく緩徐な流れにして沈澱池内に送り込みそのまま下流側へゆっくりと流すことにより沈降を促進して底壁上に汚泥を沈澱させるようにしてある。底壁上に沈澱した汚泥は、汚泥掻寄装置により汚泥ピットまで掻き寄せられ回収されその後ピット外に排出されるようにしてある。
前記汚泥掻寄装置には種々のものがあるが、ここではその一例として特許文献１を示す。【０００３】
【特許文献１】特開２００５−１３１６２７
【発明の概要】
【発明が解決しようとする課題】
【０００４】  特許文献１に開示された汚泥掻寄装置は、池幅中央を通るように池底に固定されたガイドレールを備え、このガイドレールには、それに平行に進退する長尺状の機体を備え、この機体は前後複数枚の汚泥スクレーパを備えて車輪を介して走行案内される構造とされている。そして、汚泥スクレーパは、後退したのちに垂直な掻寄姿勢とされて再び前進されることで汚泥をピット方向に掻き寄せたのちピット内に落とし込むようにし、そののち汚泥スクレーパは持ち上げられて非掻寄姿勢とされることで垂直な姿勢から支柱請求項から例えば、ワイヤやリンクチェーンなどの伝導条材を介する駆動方式により機体を前進させて前方のピット方向に汚泥を掻き寄せることで汚泥をピット内に落とし込むようにし、その後、掻寄を終えると汚泥スクレーパは掻き戻しをしない持上姿勢にしてそのまま後退しつつ後方端の元の位置まで復帰運動をするようになっている。【０００５】  具体的には、上記機体は、溝型鋼のような一様断面形状をした長尺部材を本体としてそれをガイドレールの直ぐ上にくるように配置して左右一対で前後複数組をなす車輪をガイドレール上に介してピット方向あるいはその逆の方向に進退するようにされ、この機体の前後複数個所には左右一対の取付台を突設するとともに、その取付台上に左右一対をなすように軸受を固定してこれら軸受を通してスクレーパ軸を挿通して回転自在に装備し、さらに、前後の各スクレーパ軸には、掻寄羽根であるスクレーパ本体を左右一対ずつ備えたものとしてある。【０００６】  ところで、スクレーパ付き機体を進退駆動させるには、駆動源と複数のシーブおよびワイヤロープ・リンクチェーンなどの伝導条材が構成されるとともに、機体の溝内を進退する連動ロッドも構成してある。そして、池上に設置した駆動源にロードシーブを装備し、その下方に対応するガイドレール上にも一対の前アイドルシーブを配備する一方、ガイドレールの後端上には後アイドルシーブを配置して構成し、これらシーブ組と連動ロッドとを介して、１本の伝導条材を掛け回してある。即ち、ロードシーブ回りに掛けられた伝導条材の一方は前アイドルシーブの一方を通って連動ロッドの前端に結合され、連動ロッドの後端に結ばれた伝導条材他端は後アイドルシーブを経由して下回りに掛けられ前方へ向けて前アイドルシーブの他方を経由してロードシーブに掛け回されるようになっている。これは特許公報１において図説されている。【０００７】  しかし、リンクチェーン等の伝導条材は、牽引作用を繰り返す関係から連鎖間部分に摩耗が発生してそれがチェーンの伸びとなり、そのままではスプロケットであるシーブからチェーンが外れてしまうおそれがある。【０００８】  そのチェーンの伸びに対処する一つの方法として、テンショナーによる方法がある。例えば、前アイドルシーブの上側位置に配置したアーム軸回りにテンションアームを回転自在に備えるとともにそのアーム先端に備えたテンションローラーを前進時に弛むリンクチェーン側に掛けて自重付加による張り状態維持によりチェーンの弛みをなくすようにしたものがある。
しかし、前記テンショナーによるものは、回転範囲が一定に限られるので、弛みが大きくなるのに対応し切れない不利がある。【０００９】  そうしたことから回転範囲が一定に限られるテンショナーを１回のみ働かせるのでなく何度も繰り返し働かせるようにして大きな弛みに対して常時張り状態を維持させるように工夫した。即ち、モーターと減速機を本体としその一端にロードシーブを備えてリンクチェーンの一端を掛け回すようにしてなる駆動源をそのまま池上に固定設置するのでなく、底側に設置した架台の上にこの駆動源を配置するとともに架台から垂直にボルトを伸ばして上下のナットで駆動源を昇降調節可能に構成するものである。ボルトとナットは駆動源を持ち上げることもできるしその高さで固定ロックも可能なジャッキアップ機構であり、伝導条材を初期設定した状態でチェーンがかなり伸びたであろう経験的一定期間を経た時点でジャッキアップ機構により駆動源を持ち上げてロードシーブを少し高く調節すればロードシーブ回りの伝導条材が持ち上がることによりチェーンに発生した弛みがなくなるようにしたものである。【００１０】  しかし、前記した所謂駆動源持ち上げ方式によれば、ジャッキアップする作業は池上において便利にかつ確実に行えるのであるが、それによる弛み取りを受ける肝心なテンショナーの部分は池水中の全く視えないところにある関係で、ジャッキアップを行ってもそれが水中においてどの程度弛み取りとして反映されているのか明確に分からないという問題があった。一方、池上でのジャッキアップ作業にのみに頼ることなく、伸びが大きくなったと想定される一定期間後に、一旦池水を抜き去り、チェーンの伸びた分に対応する個数分をカットし、それにより、弛み取りをより確実に行うようにもすることができる訳であるが、水を抜く方式を採ると、その後に水を張って元の状態に戻したとしても沈澱池の次の処理設備での処理機能が不安定なものになるため処理場を管理する人はそうした対処方法が嫌われていた。【００１１】  この発明は上記問題を解決するためになされたもので、沈澱池の水面より上位においてチェーン等の伝導条材の弛み度が分かるだけでなくそれに基づく弛み取りの作業が池上において水抜きなどなく容易かつ確実にしかも迅速に行えるとともに弛み取りが永い期間に亘って行えるようにした汚泥掻寄装置を提供することを目的とする。
【課題を解決するための手段】
【００１２】  この発明は上記目的を達成するため、請求項１に記載の発明は、矩形の短辺に対応する前後の端壁と矩形の長辺に対応する左右の側壁および汚泥掻寄方向である前側の端壁側に汚泥ピットを備える底壁とを備えてなる矩形沈澱池内の底壁上には、前記長辺に平行な軌道に沿って汚泥ピットの方向とその逆方向に進退可能な車輪移動式の機体が設けられ、その機体は、汚泥ピットの向きに前進する際に縦向きの掻寄状態となりその逆方向に後退する際に持ち上げ状態となるように上下姿勢切換可能とされた汚泥スクレーパが設けられているとともに、同機体は進退駆動がワイヤロープあるいはリンクチェーンなどの伝導条材による往復牽引手段でなされ、同往復牽引手段は、池上に設置の架台上にジャッキアップ機構を介して昇降調節可能に設置された減速機付き駆動源と、駆動源の駆動軸に備えたロードシーブと、水中の前記ロードシーブの下方に対応位置して配備された一対のヘッド側シーブと、前記端壁の下方に相当する位置に設けられたテール側シーブと、前記伝導条材とを備え、伝導条材は、ロードシーブに掛け回されたその一方側がヘッド側シーブの一方を経由して機体側に前方から連結されるとともにロードシーブに掛け回された他方側がヘッド側シーブの他方とテール側シーブとを経由して機体側に後方から連結され、伝導条材の前記他方側には、テンションローラー付きテンションアームを備えたテンショナーが装備されてなる汚泥掻寄装置において、前記池上には、弛み度インジケーターが設けられ、同インジケーターは、テンショナーの動きに連動して昇降運動をする昇降連動材と、昇降連動材の動きに応じて池上において弛み度を表示可能な表示手段とを備えていることを特徴とする。
請求項２に記載の発明は、請求項１に記載のものにおいて、昇降連動材は、池上に対応位置する上端部に上下複数の異なる表示部分をもち、池上に設定された固定的な相手基準部材に対する前記表示部分の高さ位置関係をもって弛み度が表示され得るようになっている。
請求項３に記載の発明は、請求項１に記載のものにおいて、表示手段は、昇降連動材の池上に対応位置する上端部の特定部位に対して反応する近接センサー等のセンサーと、このセンサーからの反応を受けて一定の弛み度や弛み取り状態を光でもって表示する発光手段とを備えている。
【発明の効果】
【００１３】  上述したように、請求項１に記載の発明は、矩形の短辺に対応する前後の端壁と矩形の長辺に対応する左右の側壁および汚泥掻寄方向である前側の端壁側に汚泥ピットを備える底壁とを備えてなる矩形沈澱池内の底壁上には、前記長辺に平行な軌道に沿って汚泥ピットの方向とその逆方向に進退可能な車輪移動式の機体が設けられ、その機体は、汚泥ピットの向きに前進する際に縦向きの掻寄状態となりその逆方向に後退する際に持ち上げ状態となるように上下姿勢切換可能とされた汚泥スクレーパが設けられているとともに、同機体は進退駆動がワイヤロープあるいはリンクチェーンなどの伝導条材による往復牽引手段でなされ、同往復牽引手段は、池上に設置の架台上にジャッキアップ機構を介して昇降調節可能に設置された減速機付き駆動源と、駆動源の駆動軸に備えたロードシーブと、水中の前記ロードシーブの下方に対応位置して配備された一対のヘッド側シーブと、前記端壁の下方に相当する位置に設けられたテール側シーブと、前記伝導条材とを備え、伝導条材は、ロードシーブに掛け回されたその一方側がヘッド側シーブの一方を経由して機体側に前方から連結されるとともにロードシーブに掛け回された他方側がヘッド側シーブの他方とテール側シーブとを経由して機体側に後方から連結され、伝導条材の前記他方側には、テンションローラー付きテンションアームを備えたテンショナーが装備されてなる汚泥掻寄装置において、前記池上には、弛み度インジケーターが設けられ、同インジケーターは、テンショナーの動きに連動して昇降運動をする昇降連動材と、昇降連動材の動きに応じて池上において弛み度を表示可能な表示手段とを備えていることを特徴とするので、沈澱池の水面より上位においてチェーン等の伝導条材の弛み度が分かるだけでなくそれに基づく弛み取りの作業が池上において水抜きなどなく容易かつ確実にしかも迅速に行えるとともに弛み取りが永い期間に亘って行えるようにした汚泥掻寄装置を提供することができる。
【図面の簡単な説明】
【００１４】
【図１】  この発明の一実施形態を示す図２のＩ−Ｉ線に対応する横断面図。
【図２】  図１のＩＩ−ＩＩ線断面図。
【図３】  図１のＩＩＩ−ＩＩＩ線に対応する横断面図。
【図４】  図２のＩＶ−ＩＶ線断面図。
【図５】  図２のＶ−Ｖ線断面図。
【図６】  図５のＶＩ−ＶＩ線断面図。
【図７】  弛み度中程度のインジケーター状態図。
【図８】  弛み度最大時のインジケーター状態図。
【図９】  他の実施形態を示す装置側面図。
【図１０】  他の実施形態を示す装置側面図。
【図１１】  付加的な提案例を装置前方からみて示す縦断面図。
【図１２】  他の付加的な提案例を示す装置前方からの縦断面図。
【図１３】  図１２のＸＩＩＩ−ＸＩＩＩ線断面図。
【発明を実施するための形態】
【００１５】  以下、この発明の一実施形態を図示して説明する。
図１ないし図８はその一実施形態で１水路１駆動方式の汚泥掻寄装置を示しており、そのうち図１ないし図６は汚泥の掻き寄せがあと数ｍ先で終わる時点での装置の状態を示し、図７は一定の運転期間を経たのち伝導条材に中程度の弛みが発生した状態を示し、図８はさらに一定の運転期間を経たのち伝導条材に最大程度の弛みが発生した状態を示すものである。この発明は、２水路１駆動方式（平行配置した２つの水路（沈澱池）のそれぞれに進退可能な汚泥スクレーパ付き機体を配備してこれら機体を互いに逆方向に進退する関係に１本の伝導条材で連結するとともにこの１本の伝導条材を池上の１つの駆動源をもって進退駆動させるタイプのもの）にも適用がある。
これらの図において１は矩形をした沈澱池で図１ないし図３における左が上流側で右が下流側であり、２が前側端壁、３が後側端壁で、これら端壁２，３は、上からみて矩形の短辺に対応し、矩形の長辺は池幅方向に対面する左右の側壁４，４が対応する。前側端壁２の上部には図示しない整流孔付きの整流板（壁）が設けられてそれより左側の流入渠（図示省略）に導入される汚水を多数の整流孔を通じて沈澱池１内に極く緩徐に導入するようになっている。
５は底壁（池底）で、その前側端壁２側である汚泥掻寄方向側には汚泥ピット６が凹設されている。このピット６には回収した汚泥の吸揚ポンプが設けられる。
【００１６】  沈澱池１内の底壁５上には、池幅間中央ラインに同芯状をなすようにしてガイドレール７が敷設されている。ガイドレール７が設けられず底壁５がそのまま軌道となることもある。このガイドレール７は、垂直辺と上端の水平辺からなるアングル鋼の長いものをレール本体として有し、このレール本体の左右一対が４００ｍｍ前後の間隔を置いて平行状に設けられているとともに、左右のレール本体はレール長手方向に複数個所設けられた底つなぎ材８で互いに連結されている。左右各レール本体の上面には別途保護レール（フラットバー）が一体化されることもある。尚、レール本体と底つなぎ材８の形成するコの字形部分内にはリブが設けられている。
【００１７】  １０は機体で、長尺な丸パイプでなり、その前端には丸板型の前蓋１１が密閉状に溶接される一方後端にはアングル型をした後蓋でもある取付基台１２が幅広状をなして密閉溶接されている。機体１０は角パイプやＨ形鋼などにしてもよい。この機体１０は、ガイドレール７の左右一対の本体間のやや上側に位置するようになっている。
【００１８】  機体１０の前部両側には前車軸１４が左右一対張り出し、これら前車軸１４の端部には、ガイドレール７上を転動する前車輪１５が回転自在に設けられている。機体１０の前端には、下向きに溝を向けた溝型鋼でなる前取付台１６が左右張り出し状をなして水平面状に一体溶接されている。
前取付台１６の前垂直壁には半円形の凹欠が設けられ、後垂直壁には丸孔が形成されており、これらを介して機体１０の前端部が差し込まれてのち溶接一体化されている。前取付台１６の後端には水平な舌片が設けられ、そこにはガイドレール７に接触するサイドローラー１８が取り付けられている。
【００１９】  また、前取付台１６の上面には、左右一対をなして合わせ型の軸受１９が設けられて上下に向く複数本の止着具により丸パイプ状スクレーパ軸２２が回転自在に挿通されることで前汚泥スクレーパ２１が構成されている。スクレーパ軸２２は、左右の軸受１９よりも更に各外側方に伸びており、その各外側方にはスクレーパ本体２３が一体に設けられている。スクレーパ本体２３の内側には仕切板２４が設けられているとともに、スクレーパ本体２３の下部前面にはゴム掻き板２５が設けられて押さえ板と止着具により固定されている。
【００２０】  前記スクレーパ軸２２の幅方向中央には、前レバー３０が突設され、その先端に斜め向きのリンク型タイロッド３１の前端がピン連結されている。このタイロッド３１の後端には、下端が連結ロッド３３に連結され２枚の板間に案内ローラー３４を備えて機体１０上を進退するようになった案内ブラケット３５の上部にピン結合されている。３６は前ストッパで、案内ブラケット３５が前進時に当たり前進力を伝えるようになっている。
【００２２】  こうした機体１０の前部の構成において、４０は機体１０上に固定したコの字形台座で、この台座４０には、図４に示すように、左右一対の支柱４１，４１がその両者を連結する底受板４２を介して止め付けることで立設されている。支柱４１，４１間には、下部横架材４４と上部横架材４５とが連結一体化されるとともに、下部横架材４４にはブラケット４６を介してチェーンホイール４７が取り付けられる一方、上部横架材４４からは垂直上方に２本のガイドロッド４８が伸びて固定されている。
【００２３】  ガイドロッド４８には浮上可能質のスカムスクレーパ４９が昇降自在に設けられている。スカムスクレーパ４９の下部にはアンカーパイプ５１が垂下され、その中にプレートチェーンでなる連鎖材５２の上端が挿通固定される一方、他端はタイロッド３１の連結受材５３に繋がれるとともに、中間は前記チェーンホイール４７を経由して設けられている。５４はサイドシール板で、スカムスクレーパ４９と側壁４との間からスカムが掻き洩れしないようにするものである。
【００２４】  汚泥掻寄装置がＸ方向に前進して掻き寄せを行う際には、連結ロッド３３が前向きに牽かれてタイロッド３１がそれに連動して前向きに押し上がることで連鎖材５２が前方へ牽かれ、これにより、スカムスクレーパ４９が水面下に引き下げられた姿勢のまま前進することになって水面上のスカムがスカム除去装置５６のある側と反対の方向に掻き戻すことはなく、そのまま水中に没したまま汚泥の掻き寄せが終わるまで前進する。
汚泥掻寄装置による汚泥の掻き寄せが終わると後述する往復牽引手段６３が逆方向に作動することにより連結ロッド３３がそれに連動して逆方向に作動することにより連鎖材５２は緩み、これにより、スカムスクレーパ４９は引き下げ姿勢から浮上することになって水面上のスカムをスカム除去装置５６の方向に掻き寄せることになる。この掻き寄せ運動は、汚泥掻寄装置の復帰運動に連動してなされる。尚、姿勢切換手段は、連結ロッド３３、タイロッド３１、前・後レバー３０，９７などにより構成されている。
【００２５】  一方、スカム除去装置５６は、図２および図３に示すように、側壁４，４間に横架固定されたトラフ５７とその前側に回転により水面を境に上下するようにした堰５８とを備え、この堰５８は、スクレーパ軸２２回りに取り付けた持ち上げローラー５９が持ち上げられて復帰する途中で前側が持ち上げられ後側が下げられる倣いアーム６０により連動ロッド６１を介して下げられてスカムを呑み込む状態になる一方、持ち上げローラー５９が倣いアーム６０を通り過ぎることにより浮上復帰して堰き止め状態となるように構成されている。
【００２６】  持ち上げローラー５９は、掻寄時にはスクレーパ軸２２が前向きに回転して低くなっているので、倣いアーム６０の下方を低く干渉せずに通過してゆくことになる。スカムスクレーパ４９は、汚泥掻寄装置が復帰状態のときに浮上してスカム除去装置５６の方向にスカムをかき寄せるようにするが、その集めたスカムは、スカムスクレーパ４９がスカム除去装置５６に接近した時点で堰５８を水面より下げスカムを誘引させるようにする。
【００２７】  機体１０を前後に進退させるための往復牽引手段６３は、池上の減速機付きモーターである駆動源６４と、駆動源６４の駆動軸に備えたロードシーブ６５と、ピット上のヘッド側シーブ６６と、復帰側の縦軸回りに回転するテール側シーブ６７、およびこれらを介して往復切換運動するリンクチェーンである伝導条材６８とを備える。伝導条材６８の一端は連結ロッド３３の前端に繋がれる一方、他端は一方のヘッド側シーブ６６からロードシーブ６５および他方のヘッド側シーブ６６からテール側シーブ６７を経由して連結ロッド３３の後端に繋がれており、図示しない位置検出切換制御装置により前端駆動限と後端駆動限を検知することでストロークＳのもとでの進退駆動と汚泥スクレーパ切換駆動を自在としている。
【００２８】  機体１０の中間と後寄りには、連結ロッド３３上に突設された案内ブラケット３５の案内ローラー３４が転動自在とされることで連結ロッド３３が前後に進退自在に支持されている。機体１０の後端には、前記取付基台１２が左右張り出し状に固定されており、この基台１２にはサイドローラー１８が設けられるとともに、その後側面を介して左右一対の後取付台１００が止着具により脱着可能に取り付けられている。
【００２９】  後取付台１００には後車輪１０１がそれぞれ取り付けられてガイドレール７上で転動可能とされるとともに、同取付台１００上には左右一対の軸受１０２が止着具を介して上下割り型として取り付けられ、これら軸受１０２を介して後汚泥スクレーパ１０４のスクレーパ軸１０５が回転切換自在に支持されている。スクレーパ軸１０５にはスクレーパ本体１０６が一体化されているとともにゴム掻き板２５や押さえ板などが上記と同様に装着されている。スクレーパ軸１０５の軸受間に相当する外周には、連結ロッド３３に連動して前後に揺動する後レバー１０７が長孔型遊びを介して連結されるように突設されている。後汚泥スクレーパ１０４は、後斜め下がりの板面と垂直な板面とをくの字形にして有する曲がり板状をしており、図３に実線で示すように垂直な板面が垂直になるようにして掻寄状態とされ、前進端では前側の前汚泥スクレーパ２１とは逆向きとなる破線のように後向きに持ち上げられて復帰状態とされる。１０８はカウンタバランスである。
【００３０】  図１ないし図４は、前・後汚泥スクレーパ２１，１０４が縦向き（垂直）な掻寄状態にあって汚泥ピット６の方向に前進し汚泥を掻き寄せながらあと数ｍでピット６上に達し汚泥をピット６内に落とし込むようにするその直前状態を示すものである。この掻寄状態では、前後の車輪１５，１０１をガイドレール７上に載せた状態で機体１０がガイドレール７間の上寄り中央に位置させた状態とされ、駆動源６４により連結ロッド３３が前向きに牽かれて案内ブラケット３５が前ストッパ３６に当たるところで止められており、タイロッド３１は前向きに起き上がるとともに前レバー３０も垂直より少し前回りまで立ち上がって汚泥スクレーパ２１は垂直な掻寄姿勢になって微速で前進する状態となっている。そのとき、連鎖材５２を通して引き下げられて水面に没した状態にあるスカムスクレーパ４９は汚泥掻寄装置が前進する間はスカムの掻き寄せは行わないものとされる。
【００３１】  汚泥掻寄装置の後部は、図２のように、後レバー１０７が前回りに引かれることで後汚泥スクレーパ１０４は前側と同じく縦向きの垂直な状態になっている。前汚泥スクレーパ２１は、図３のＡ１まで、後汚泥スクレーパ１０４はＡ２まで前進する。次に、Ａ１まで前進した汚泥掻寄装置は、駆動源６４が逆回転されることで連結ロッド３３は後ろ向きに引かれ、これにより、タイロッド３１を介して前レバー３０が後回りに、また後レバー１０７が後向きに回転されることで前汚泥スクレーパ２１は前上がりに、また後汚泥スクレーパ１０４は後上がりにそれぞれ切換制御される。そのとき、持ち上げローラー５９は高く上げられるので、後退運動途中で倣いアーム６０を持ち上げて堰５８を引き下げ、また連鎖材５２は緩められるので、スカムスクレーパ４９は後退運動とともに水面に浮上して水面のスカムをスカム除去装置５６の方向に掻き寄せる。Ｂ１は前汚泥スクレーパ２１が復帰し掻寄状態に切り換えられる後退端位置を示す。
【００３２】  尚、図２の１１０は制御用ケーブルであり、このケーブル１１０は、前進端受レバー１１１により位置検出の可能な池上の前進端位置検出器１１２と後進端受レバー１１３により位置検出の可能な池上の後進端位置検出器１１４との間に池上を通して設けられたものである。
【００３３】  ところで、図１ないし図６に示す汚泥掻寄装置は、掻き寄せが進みあと数ｍで掻寄行程を終える段階にあるが、同装置にはこの発明の一つの構成要素であるテンショナー７０が自重作用型として往復牽引手段６３に対し構成されている。
往復牽引手段６３において、図５のロードシーブ６５が右回りで正転の時には左側が掻寄ｘ時引張側ａで右側が掻寄時弛み側ｂとされ、また一方ロードシーブ６５が左回りで逆転の時には右側が復帰時引張側ｂで左側が復帰弛み側ａとされる。
【００３４】  テンショナー７０は、ガイドレール７の前端に立設固定された基部ブラケット７１の一方から突設されたアームブラケット７２を介して設けられ、同アームブラケット７２の上端に水平に備えたアーム軸７３を介してテンションアーム７４を回転自在に支持し、同アーム７４の先端のテンションローラー７５を掻寄弛み側ｂに前から後向きに当接させて伝導条材６８にできる弛みを掻寄弛み側ｂにおいて張り調整状態にするようにしてある。アーム軸７３には短い同期レバー７７がテンションアーム７４と同時に回転するように設けられる一方、前記同期レバー７７は、上ガイドローラー７８と下ガイドローラー７９とによって垂直に昇降し得るように設けた長尺状のＳＵＳ製あるいはアルミ合金製の昇降連動材８０の中途に連動リンク８１を介して連結してある。昇降連動材８０・連動リンク８１・テンションアーム７４等は自重をもつものであるからそれによる回転モーメントがテンションアーム７４に作用することによりテンションローラー７５を通じて伝導条材６８が張状態とされるようになっている。
【００３５】  ８３は架台で、例えば、溝型鋼を四方に配置し中央に上下貫通穴を開けた形で矩形一体枠型にしたもので池上に開けた上穴８４回りに対応するようにボルト固定したもので、この架台８３の上には、駆動源６４の矩形座板８４が配置され、この座板８４はボルトナットでなるジャッキアップ機構８５によって昇降調節可能とされている。このジャッキアップ機構８５は、図１ないし図６に示す初期設定時においては、座板８４が図５の左欄のように最も低い高さにあるように設定される。また、テンショナー７０の方は、図６のように弛みが０かあるいは少ない状態に設定される。
【００３６】  ８７は弛み度インジケーターで、前記同期リンク７６・連動リンク８１・昇降連動材８０・上下ガイドローラー７８，７９を連動系として含むとともに、池上の架台８３上には、めねじ付きの受筒８８がフランジを介して止め付けられるとともに、この受筒８８には該筒８８におねじを介して螺合して高さ調節可能とした上蓋付きインジケーターパイプ（相手基準部材）８９を備えてある。インジケーターパイプ８９は、長孔型をした通覧口９０をその下部寄りに備えている。
一方、通覧口９０を通じて視える内部の昇降連動材８０の上端には、赤色表示である弛み最大表示部分Ｒがまたその下方に数十ｃｍ離れた個所には青色表示である弛み最小表示部分Ｂが付されている。
【００３７】  図１ないし図６は、ロードシーブ６５が正転時であって伝導条材６８の弛み（伸び）が最小で初期状態の状態を示し、図６のように、赤色表示Ｒがインジケーターパイプ８９の上方に内に隠れる一方青色表示Ｂ高い位置である通覧口９０の中間高さ前後に対応位置した状態にある。
図７は伝導条材６８が例えば、１年続連続駆動されて伝導条材６８が摩耗により伸び中程度弛んだ状態にあることをテンショナー７０からの連動により池上で表示確認できることを示し、この場合、昇降連動材８０が図６の状態よりもかなり下がり、赤Ｒと青Ｂ間の表示のない部分が通覧口９０から見えている様子を示している。この状態ではまだ大きな弛みをみせていないので弛み調節は不要である。
【００３８】  一方、図８は伝導条材６８が例えば、１年半から２年前後連続駆動されることにより昇降連動材８０が大きく下がり弛み最大表示部分である赤色表示Ｒが通覧口９０内に位置して伝導条材６８の弛み（伸び）が最大になり、逆転させるとチェーンガイド９１端内で咬み込みを発生するおそれがあることを伝えている。
このように危険度の高い弛み状態になったならば、掻寄を一旦停止し、それまで（初期状態時）ｈ１（図８）であった座板８４と架台８３間の高さ間隔をジャッキアップ機構８５を使ってｈ２（図８）まで持ち上げることによりロードシーブ６５と伝導条材６８が持ち上がり、次第に青色Ｂが通覧口９０内に戻されてくることを確かめることによりその高さでロックしておく。これにより、テンショナー７０は、図８の状態から図５および図６の初期の好ましい張り状態に戻される。こうしたことの繰り返しにより赤色表示Ｒの表示があった場合青色表示Ｂに戻るまで調節することで何度でも初期伸び状態を得ることができる。この調節が池上の表示を見て確実に行えるものである。一定期間（２年）の稼働により例えば、ｈ１（１５ｍｍ）からｈ２（３０ｍｍ）まで持ち上げれば弛みが初期状態になることが経験で分かっている場合、その上昇量（ｈ２−ｈ１）を目安でなく数値的に分かるようにするため架台８３と座板８４間の近くにゲージを立設しておいてｈ２が容易かつ確実に得られるようにする。
【００３９】  図９に示す実施形態は他の弛み度インジケーターの例を示している。
この弛み度インジケーター９３は、昇降連動材８０の上端（樹脂など）に赤色表示（金属）Ｒを付し、架台８３上には、透明円筒材である外装体９４を下部フランジを介して水封状態で止め付け、この外装体９４の下寄りには近接センサー９５を備え付けるとともに、外装体９４の上部内には、センサー９５が赤色表示Ｒを捉えてＯＮしたときに発光する弛み最大表示ランプ（あるいは警報音発生手段）９６を備えてある。図９は弛みが最大の状態となった状況で昇降連動材８０が下方に大きく下がり、その状態をセンサー９５が検知することにより弛みが危険な程に大きくなっていることをランプ９６で表示するようにしてある。近接センサー９５は、例えば、高周波発振型を使うことができるし、近接センサーに代えて光電センサーや接触式変位センサー、レーザセンサー（反射型・透過型など）、超音波距離センサー等を使用することもできる。また、昇降連動材８０の動きに連動するスライドボリュームによりフルカラーＬＥＤを多色表示するように構成し、例えば、弛み度が低い段階は青（あるいは緑）色とし、弛み度が中程度では黄色とし、弛み度が最大の場合は赤色に表示が連続変動するように構成すれば、色表示により一目瞭然で弛み度、弛み取り度が分かるようになる。
ジャッキアップ機構８５を使ってジャッキアップし弛みを少なくすれば昇降連動材８０が破線のように上昇して戻り、そのことからランプ９６は消えた弛み取り状態となる。赤色表示Ｒは右欄のように移動式とすれば該表示Ｒを下寄りに変更調節することで早目に弛みを知らせることができるようにもなる。
さらに右欄に示すように近接センサーをａ・ｂ・ｃのように複数段階に配備しておいてそれらが赤色表示Ｒに対し矢印のように段階的に近接してゆくことでランプ９６…がそれも段階的に点灯して３つの点灯があった場合に最も弛んだ状態であることを表示できるようにしてもよい。弛み度をより細かく表示することができるようになる。
【００４０】  図１０は他の実施形態を示す。この弛みインジケーターは、昇降連動材８０の上端に赤色表示Ｒをその下側の裏面に青色表示Ｂを付しておき、さらに赤ランプ９６と青ランプ９７を内装して、初期設定時〜弛みＭＡＸ未満までは青色表示Ｂを青色近接センサー９５ａが感知して青ランプ９７が点灯することでまだ弛みがＭＡＸでないことを知らせ、赤色表示Ｒが赤色近接センサー９５ｂに近づくことによって弛みがＭＡＸであることを赤ランプ９６の点灯によって知らせるようにしてある。弛み度の少ない状態を明確に表示することができるようになる。
尚、前記実施形態では、昇降連動材８０の上端に赤色表示（金属）Ｒを付しておき、それが一杯に下がった時点で近接センサー９５が作用してランプ９６を発光させるようにしてあったが、それとは逆に、昇降連動材８０の上端に青色表示（金属）Ｂを付す一方それがジャッキアップにより上位に復帰した時点で青色ランプ９７がＯＮするようにして弛み戻りを表示させるようにすることもできる。
【００４１】  汚泥掻寄装置は、車輪１４，１０１が底壁５に直接（図１２参照）あるいは薄層材（図１１参照）である軌道を介して間接に走行するタイプのものであってもよい。
【００４２】  図１１は付加的な提案例を示す。この例は、前記実施形態のようなアングルや溝型材などのやや高さのある部材をガイドレールとして使用するのでなく、薄板状のガイド板部１２０ａを車輪１５のガイド部材として使用したもので、このガイド板部１２０ａは、その内側となる一端に外開き状に傾斜突出する第１部分レール部１２０ｂをプレス成形で一体に備えたものとされて誘導レール本体１２０とされ、これに対し、第１部分レール部１２０ｂに対称配置をなすように別体の第２部分レール１２１を溶接固着して１つの長尺な誘導レールを形成したものである。この誘導レールの例えば、図１１の左側のものには伝導条材６８の掻寄時引張側ａが通され、図１１の右側のものには掻寄時弛み側ｂが通されるようになっている。前記実施形態では、ガイドレール７と誘導レール１２４とが別体物で構造が複雑化していたが、図１１のようにすると車輪と伝導条材の両ガイド部材が簡略化する。
誘導レールの外側端には、図１１の左下欄に示すように、振れ止め板１２５を付加してサイドローラー１８が接触し得るようにすれば構造簡単にしてサイドローラー１８のガイドが可能になる。
前記ガイド板部１２０ａの車輪１５が通る部分に形成されてアンカーａがセットされることがある凹部１２０ｃは車輪１５の幅よりも十分小さい凹部寸法とし幅内に収まるようにすれば振動なく車輪１５を通過させることができる。
車輪１５は、図１１のように、芯材を金属あるいは樹脂としその外周を合成ゴム質のものとすることができる。連結ロッド３３の一側に設けられたチェーンアンカー１２３には伝導条材６８の後端が連結される。
【００４３】  図１２および図１３は他の付加的な例を示している。この例は、２水路１駆動式の汚泥掻寄装置における誘導レール構造を示す。２水路１駆動式であるので１水路当たり誘導レール１２８は１本であるが、この誘導レール１２８は取付座１２９とウエッブ１３０およびＶ字のガイド本体１３１とでなり、ウエッブ１３０の複数個所には切欠１３２…が形成されてその切欠１３２を利用してアンカー１３３のナット１３４を取り付けるスペースとしたものである。ガイド本体１３１の両端にはサイドローラー１３５を対応させて振れ止めとする。この例の場合、車輪１５が底壁５上を直接転動するようになっている。
尚、図２の右部に示すように、テール側シーブ６７を少なくとも覆う形でカバー１３７を設けてテール側シーブ６７の前後や両側部に溜まり除去できなかった汚泥を除去できるようにすることができる。このカバー１３７は、図１の左右のガイドレール７，７の幅と同じ幅をなすもので、このカバー１３７の存在によりその上に汚泥が溜まりその内部空間には汚泥が溜まらないようにするもので、上に溜まった汚泥は後汚泥スクレーパ１０４，１０４間に設けたゴム板などによる中央スクレーパ１３８により前向きに掻き出し例えば、山形スクレーパによりガイドレール７，７の外側へ左右斜め向きに排除し後汚泥スクレーパ１０４，１０４でそれらを前向きに排除できる構成とする。
【符号の説明】
【００４４】  １…沈澱池  ２…前側端壁  ３…後側端壁  ４…側壁  ５…底壁  ６…汚泥ピット  ７…ガイドレール  １０…機体  １５，１０１…車輪  ２１，１０４…汚泥スクレーパ  ６３…往復牽引手段  ６４…駆動源  ６５…ロードシーブ  ６６…ヘッド側シーブ  ６７…テール側シーブ  ６８…伝導条材  ７０…テンショナー  ７４…テンションアーム  ７５…テンションローラー  ８０…昇降連動材  ８３…架台  ８４…座板  ８５…ジャッキアップ機構  ８７，９３…弛み度インジケーター  ９５…近接センサー。
【図１】
2019005737.tif 000003
【図２】
2019005737.tif 000004
【図３】
2019005737.tif 000005
【図４】
2019005737.tif 000006
【図５】
2019005737.tif 000007
【図６】
2019005737.tif 000008
【図７】
2019005737.tif 000009
【図８】
2019005737.tif 000010
【図９】
2019005737.tif 000011
【図１０】
2019005737.tif 000012
【図１１】
2019005737.tif 000013
【図１２】
2019005737.tif 000014
【図１３】
2019005737.tif 000015